(57)【特許請求の範囲】
【請求項１】
回転する指針と、当該指針と協働して情報を表示する表示部材と、を備える指針表示装置であって、
回転の中心軸となる軸部、及び光を入射させる入射部、を有し、前記入射部から入射させる光によって発光する前記指針と、
前記軸部を通過させる開口部、及び前記開口部の外周側に位置して光を透過させることにより発光する発光部、を有する前記表示部材と、
前記軸部の軸方向において前記開口部を挟んで前記入射部と対向し、前記入射部に入射させる光を放出する指針光源部と、
前記表示部材を支持する筐体支持部、及び前記表示部材よりも前記指針光源部側にて前記発光部と対向し、当該発光部に向けて光を反射させる筐体反射部、を有する筐体と、
筒状を呈し、前記軸方向に沿って前記開口部に内嵌されることによって前記筐体支持部との間にて前記表示部材を挟持する筒体支持部、及び前記指針光源部に近接するに従い縮径する外周面によって形成され、前記指針光源部から放射された光を前記筐体反射部に向けて反射させる外周反射部、を有する筒体と、
を備えることを特徴とする指針表示装置。
【請求項２】
前記筒体は、前記外周面の内周側に位置する内周面によって形成され、前記指針光源部から放射される光を前記入射部に向けて反射させる内周反射部、を有することを特徴とする請求項１に記載の指針表示装置。
【請求項３】
前記筒体の縦断面において、前記軸方向に対する前記外周面の傾斜角度は、当該軸方向に対する前記内周面の傾斜角度と異なることを特徴とする請求項１又は２に記載の指針表示装置。
【請求項４】
前記筒体は、前記外周面の縮径する周壁部分に、前記指針光源部からの光りを通過させる通過部、を形成することを特徴とする請求項１〜３のいずれか一項に記載の指針表示装置。
【請求項５】
前記指針光源部の外周側に位置し、前記発光部に向けて光を放射する表示光源部、をさらに備えることを特徴とする請求項１〜４のいずれか一項に記載の指針表示装置。
【発明の詳細な説明】
【技術分野】
【０００１】
本発明は、回転する指針と、当該指針と協働して情報を表示する表示部材と、を備える指針表示装置に関する。
【背景技術】
【０００２】
従来から、車両等に搭載される指針表示装置には、多数の発光ダイオード等の光源が用いられている。このような光源の数を低減し、ひいては指針表示装置のコストを削減するために、例えば特許文献１に開示の計器装置では、指針を発光させるための光源から放射された光によって、前面パネルの表示部が発光表示されていた（引用文献１  図４，５等参照）。
【０００３】
詳しく説明すると、特許文献１の計器装置は、前面パネルの開口部の近傍に配置されて光源から放射された光を外周側に反射させる第１の反射部と、第１の反射部によって反射された光を前面パネルの表示部に向けてさらに反射する第２の反射部とを備えている。以上の構成により、前面パネルの表示部は、第１及び第２の反射部によって反射された光を透過させることにより、発光する。
【０００４】
ところで、特許文献１のような指針表示装置では、一般に、前面パネルは、開口部の近傍を他の構成との間で挟持されることにより、固定されている。例えば、特許文献２の固定装置では、文字盤の指針軸挿通孔に内嵌される係止部材によって、文字盤は、導光板との間で挟持されている。また、特許文献３の計器照明装置では、表示板の挿通孔部に内嵌される保持部材によって、表示版は、ケース体の載置部との間で挟持されている。
【先行技術文献】
【特許文献】
【０００５】
【特許文献１】特許第３３０１０７７号公報
【特許文献２】実公平５−２８４９１号公報
【特許文献３】特開２００９−１９８３４９号公報
【発明の概要】
【発明が解決しようとする課題】
【０００６】
さて、特許文献１に開示の構成では、前面パネル等の表示部材に形成された表示部等の発光部を発光させるための光源が低減できる。しかし、第２の反射部に向けて光を反射させる第１の反射部を設ける必要があるので、装置としての部品点数の低減は、実現され難い。さらに、特許文献２，３に開示の保持部材等の構成によって表示部材をケース体に保持する形態では、開口部の近傍に設けられた第１の反射部に妨げられて、保持部材を表示部材の挟持に適した形態にすることが、困難となり得る。一方で、保持部材を表示部材の挟持に適した形態とした場合には、第２の反射部への反射に適した位置に第１の反射部を配置することが、困難となり得る。以上のように、表示部材の挟持と発光部の発光との両立が、実現され難かった。
【０００７】
本発明は、上記問題に鑑みてなされたものであって、その目的は、表示部材の挟持及び発光部の発光を確かなものとしつつ、部品点数を抑制できる指針表示装置を提供することである。
【課題を解決するための手段】
【０００８】
上記目的を達成するために、請求項１に記載の発明は、回転する指針と、当該指針と協働して情報を表示する表示部材と、を備える指針表示装置であって、回転の中心軸となる軸部、及び光を入射させる入射部、を有し、入射部から入射させる光によって発光する指針と、軸部を通過させる開口部、及び開口部の外周側に位置して光を透過させることにより発光する発光部、を有する表示部材と、軸部の軸方向において開口部を挟んで入射部と対向し、入射部に入射させる光を放出する指針光源部と、表示板を支持する筐体支持部、及び表示部材よりも指針光源部側にて発光部と対向し、当該発光部に向けて光を反射させる筐体反射部、を有する筐体と、筒状を呈し、軸方向に沿って開口部に内嵌されることによって筐体支持部との間にて表示板を挟持する筒体支持部、及び指針光源部に近接するに従い縮径する外周面によって形成され、指針光源部から放射された光を筐体反射部に向けて反射させる外周反射部、を有する筒体と、を備える指針表示装置とする。
【０００９】
この発明によれば、表示部材の開口部に筒体が内嵌されることにより、この筒体の有する筒体支持部と筐体の有する筐体支持部との間に、表示板が挟持される。このようにして表示部材が挟持された状態にて、表示部材の開口部を挟んで指針の入射部と対向する指針光源部から放射される光の一部は、当該開口部に内嵌された筒体の内周側を通過し、指針の入射部に入射する。入射部から入射させる光によって、指針は発光する。
【００１０】
また、指針光源部から照射される光の一部は、指針光源部に近接するに従い縮径する筒体の外周面によって形成される外周反射部により、筐体の筐体反射部に向けて反射される。筐体反射部は、表示部材の指針光源部側にて発光部と対向して位置し、外周反射部によって反射された光を、発光部に向けてさらに反射させる。以上により、各反射部によって反射された光を透過させることによって、発光部は発光する。
【００１１】
以上の構成では、表示部材を挟持する機能を有する筒体に、光を反射させる機能が統合されている。故に、表示部材の挟持に適した形態に筒体支持部を形成したうえで、さらに筺体反射部への反射に適した位置に外周反射部が配置され得る。以上により、表示部材の挟持と発光部の発光とが、両立可能となる。さらに、筐体反射部に光を反射させるための個別の構成に加えて、発光部を発光させるための個別の光源が低減可能となる。したがって、表示部材の挟持及び発光部の発光を確かなものとしつつ、部品点数を抑制できる指針表示装置が実現される。
【００１２】
請求項２に記載の発明では、筒体は、外周面の内周側に位置する内周面によって形成され、指針光源部から放射される光を入射部に向けて反射させる内周反射部、を有することを特徴とする。
【００１３】
この発明によれば、指針光源部から放射された光の一部は、縮径している外周面の内周側に位置する内周面に到達し得る。この内周面によって内周反射部を形成して光を入射部に向けて反射させることにより、入射部に入射する光量は、増加し得る。以上により、指針光源部から放射される光が発光部の発光に用いられる形態であっても、指針の発光輝度は、高く維持可能となる。
【００１４】
請求項３に記載の発明では、筒体の縦断面において、軸方向に対する外周面の傾斜角度は、当該軸方向に対する内周面の傾斜角度と異なることを特徴とする。
【００１５】
この発明のように、筒体の縦断面において、外周反射部を形成する外周面の傾斜角度と、内周反射部を形成する内周面の傾斜角度とは、互いに異なっていてもよい。外周反射部及び内周反射部の向きが個々に設定可能であることにより、各反射部は、筺体反射部及び入射部への反射に最適な傾斜角度に形成され得る。以上により、指針の入射部に入射する光量及び発光部を透過する光量は、それぞれ増加する。したがって、指針及び発光部によって指針光源部を共有する形態であっても、これら指針及び発光部の発光輝度は、それぞれ高く維持可能となる。
【００１６】
請求項４に記載の発明では、筒体は、外周面の縮径する周壁部分に、指針光源部からの光りを通過させる通過部、を形成することを特徴とする。
【００１７】
この発明によれば、外周面の縮径する周壁部分に形成される通過部を通過することにより、指針光源部から放射される光の一部は、筒体の周壁部分に遮られることなく、指針の入射部に入射する。故に、指針の入射部に入射する光量は、確保され得る。以上により、指針及び発光部によって指針光源部を共有する形態であっても、指針の発光輝度は、高く維持可能となる。
【００１８】
請求項５に記載の発明では、指針光源部の外周側に位置し、発光部に向けて光を放射する表示光源部、をさらに備えることを特徴とする。
【００１９】
この発明のように、発光部に向けて光を放射する表示光源部が、さらに設けられていてもよい。以上の構成では、表示光源部を指針光源部よりも外周側に位置させることにより、当該表示光源部は、指針光源部よりも発光部に近接し得る。故に、発光部を透過する光量が増加し易くなる。さらに、指針光源部から放射される光が表示光源部から放射される光と共に発光部を透過するので、表示光源部から放射される光量が少なくても、発光部を透過する光量は多く確保され得る。以上により、高輝度での発光部の発光を実現しつつ、表示発光部の構成の簡素化が可能となる。したがって、発光部の発光をさらに確かなものとしつつ、部品点数を抑制できる指針表示装置が実現される。
【図面の簡単な説明】
【００２０】
【図１】本発明の第一実施形態によるコンビネーションメータの正面図である。
【図２】本発明の第一実施形態によるコンビネーションメータの機械的構成を示す図であって、図１のＩＩ−ＩＩ線断面図である。
【図３】指針光源部の発光ダイオードの配置を説明するための図であって、図２の図１のＩＩＩ−ＩＩＩ線断面図である。
【図４】本発明の特徴的構成である固定部材を説明するための斜視図である。
【図５】固定部材の側面図である。
【図６】固定部材の構成を説明するための図であって、図５のＶＩ−ＶＩ線断面図である。
【図７】本発明の第一実施形態によるコンビネーションメータの電気的構成を示すブロック図である。
【図８】本発明の第二実施形態によるコンビネーションメータの機械的構成を示す図であって、図２の変形例を示す図である。
【図９】本発明の第二実施形態における発光ダイオードの配置を説明するための図であって、図８のＩＸ−ＩＸ線断面図である。
【図１０】第二実施形態による固定部材を説明するための平面図である。
【図１１】固定部材の斜視図であって、図４の変形例を示す図である。
【図１２】固定部材の側面図であって、図５の変形例を示す図である。
【図１３】本発明の第三実施形態によるコンビネーションメータの機械的構成を示す図であって、図８の変形例を示す図である。
【発明を実施するための形態】
【００２１】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００２２】
（第一実施形態）
図１は、本発明の第一実施形態によるコンビネーションメータ１００の正面図である。コンビネーションメータ１００は、車両の車室内に設けられたインスツルメントパネル内に収容され、図１に示す正面側を運転席側に向けて配置されている。
【００２３】
（基本構成）
以下、本発明の第一実施形態によるコンビネーションメータ１００の基本構成について説明する。コンビネーションメータ１００は、車両に関する種々の情報を表示する表示装置である。図１に示されるように、コンビネーションメータ１００は、スピードメータ２０、並びに図示されないタコメータ、水温計、及び燃料計等の計器によって構成されている。
【００２４】
スピードメータ２０は、コンビネーションメータ１００の搭載されている車両の走行速度を、情報として表示する。スピードメータ２０による情報の表示は、表示板３０に形成された発光部３１としての目盛り３２、数字３３、及び単位３４、並びに指針４０等を組み合わせることによって形成される。
【００２５】
表示板３０は、円盤状に形成されている。表示板３０に形成された発光部３１は、コンビネーションメータ１００から運転席側に向かう表示方向に、光を透過させることによって発光する。目盛り３２は、表示板３０の外縁に沿って環状に、等間隔で並んでいる。数字３３は、車両の速度を表すためのアラビア数字を模った意匠であって、環状に並ぶ目盛り３２の径方向内側に位置している。単位３４は、速度の単位を表すためのアルファベット及び記号を模った意匠である。指針４０は、光を放射することによって発光する。指針４０は、表示板３０の表示方向の表面に沿って回転することにより、目盛り３２を指し示す。以上のようにして、表示板３０及び指針４０は、協働して情報を表示する。
【００２６】
次に、コンビネーションメータ１００の機械的構成を、図１及び図２に基づいて説明する。コンビネーションメータ１００は、上述した表示板３０及び指針４０に加えて、筺体５０、固定部材７０、及び回路基板８０を備えている。
【００２７】
表示板３０は、透光性の樹脂材料を基材として形成されている。表示板３０には、遮光部３６及び表示板開口部３５が、上述の発光部３１に加えて形成されている。遮光部３６は、表示板３０の基材に遮光性の印刷を施すことによって形成されている。遮光部３６を形成する遮光性の印刷は、発光部３１を除く領域に施されている。表示板開口部３５は、表示板３０の中央部分に形成される円形の開口である。発光部３１は、表示板開口部３５の外周側に位置している。
【００２８】
指針４０は、キャップ部材４８、ステッパーモータ４６、及び指針部材４１等によって構成されている。キャップ部材４８は、遮光性の樹脂材料によって形成されており、表示板３０の表示板開口部３５を表示方向から覆っている。ステッパーモータ４６は、指針部材４１を回転させるための構成であって、回路基板８０に実装されている。ステッパーモータ４６は、その本体部分から表示方向に延伸する指針軸４４を有している。指針部材４１は、透光性の樹脂材料によって形成されており、キャップ部材４８から表示板３０の径方向に沿って外周側に延伸している。指針部材４１は、入射部４２及び嵌合部４３を有している。入射部４２は、指針部材４１に光を入射させる部分であって、表示方向とは反対の方向（以下、「裏面方向」という）を向いている。入射部４２から指針部材４１に入射させる光を表示方向に放射させることによって、指針４０は、指針部材４１を発光させる。嵌合部４３は、指針部材４１の本体部分から表示方向から反対の方向に円筒状に延伸している。嵌合部４３は、指針軸４４に外嵌されており、指針軸４４と一体に回転可能である。嵌合部４３は、表示板開口部３５を通過し指針４０の回転の中心軸となる軸部４５を、指針軸４４と共に形成している。
【００２９】
筺体５０は、コンビネーションメータ１００の外観を形成し、要素３０，４０，７０，８０を収容することにより、これらを雰囲気中の塵や埃等から保護している。筺体５０は、表示板３０の載置される筺体本体部材５７に、フロントパネル５８及びリヤカバー５９等を組み付けることによって構成されている。
【００３０】
筺体本体部材５７は、遮光性の樹脂材料によって形成されている。筺体本体部材５７には、筺体開口部５１、リフレクタ５３、見返し部５６が設けられている。筺体開口部５１は、円筒状に形成されており、表示板３０の表示板開口部３５と同軸上に位置している。筺体開口部５１の内周側には、指針４０の軸部４５が通過している。筺体開口部５１は、筺体支持部５２を形成している。筺体支持部５２は、表示板開口部３５の周囲を表示方向に支持している。
【００３１】
リフレクタ５３は、表示板３０の裏面方向に配置されており、筺体反射部５４を形成している。筺体反射部５４は、外周側に向かうに従って表示板３０に近接するように放物線状に湾曲するリフレクタ５３の表示方向の表面によって形成されている。筺体反射部５４は、表示板３０の裏面方向にて発光部３１と対向しており、表示方向の発光部３１に向けて光を反射させる。筺体反射部５４には、例えば反射率を高めるための白色の塗装が施されている。見返し部５６は、スピードメータ２０の周囲を囲むように形成されている。見返し部５６の表面には、光の乱反射を抑制する塗装が施されている。
【００３２】
図２，４〜６に示されるように、固定部材７０は、遮光性であって、黒色の樹脂材料によって形成されており、円筒状を呈する筒体である。固定部材７０は、軸部４５の軸方向に沿って裏面方向に、表示板開口部３５及び筺体開口部５１に挿入される。固定部材７０は、表示板開口部３５の周囲を筺体開口部５１に係止することにより、表示板３０を筺体本体部材５７に固定する。固定部材７０には、嵌合本体部分７７及び表示板支持部７５が設けられている。
【００３３】
嵌合本体部分７７は、軸部４５の軸方向に沿って円筒状に延伸しており、表示板開口部３５及び筺体開口部５１に内嵌されている。嵌合本体部分７７と筺体開口部５１との嵌合によって、固定部材７０は、筺体開口部５１に保持されている。表示板支持部７５は、固定部材７０の軸方向の両端部のうち、表示方向に位置する端部に形成されている。表示板支持部７５は、嵌合本体部分７７から外周側に円環状に突出しており、鍔状を呈している。表示板支持部７５は、表示板３０の表示板開口部３５の周囲を裏面方向に支持している。嵌合本体部分７７が表示板開口部３５及び筺体開口部５１に内嵌されることにより、表示板３０は、表示板支持部７５と筺体支持部５２との間に挟持される。
【００３４】
図２に示されるように、回路基板８０は、所定の配線パターン（図示しない）が形成された硬質の基板である。回路基板８０には、軸部４５の貫通する円形の基板開口部８１が設けられている。回路基板８０には、配線パターンと接続された複数の電子部品、具体的には、上述のステッパーモータ４６、指針光源部６０、並びに詳細を後述するメータ制御部８５（図８参照）及び表示光源部６３が実装されている。
【００３５】
指針光源部６０は、指針４０の入射部４２に入射させる光を放出する光源部であって、複数の発光ダイオード６１等によって構成されている。図３に示されるように、例えば三つの発光ダイオード６１を、回路基板８０の基板開口部８１を囲むようにして、環状に等間隔で配置することより、指針光源部６０は構成されている。各発光ダイオード６１は、図２に示されるように、軸部４５の軸方向において表示板開口部３５を挟んで、指針４０の入射部４２と対向している。
【００３６】
次に、コンビネーションメータ１００の電気的構成を、図８に基づいて説明する。
【００３７】
コンビネーションメータ１００は、メータ制御部８５、指針光源部６０、表示光源部６３、及びステッパーモータ４６、等によって電気的に構成されている。また、コンビネーションメータ１００には、外部のバッテリ９５、車載用のＬｏｃａｌ  Ａｒｅａ  Ｎｅｔｗｏｒｋ（車内ＬＡＮ）９１、および接地されたアース配線等が接続されている。
【００３８】
メータ制御部８５は、プログラムによって作動するマイクロコンピュータ等によって構成されている。メータ制御部８５は、バッテリ９５から電力を供給されている。メータ制御部８５は、車載されている車内ＬＡＮ９１に接続されており、当該車内ＬＡＮ９１に出力された、例えば、車両の走行速度に関する情報等を取得する。また、メータ制御部８５は、指針光源部６０及び表示光源部６３と接続されており、これら光源部６０，６３に電圧を印加することにより、光を放射させる。さらにメータ制御部８５は、ステッパーモータ４６と接続されており、取得した車両の走行速度に関する情報に基づいたパルス電力をステッパーモータ４６に出力し、指針軸４４（図２参照）を駆動する。
【００３９】
以上の構成では、車両のイグニッションがＯＮ状態とされることにより、イグニッション・リレー９４が、電圧を印加されて通電状態となる。これにより、コンビネーションメータ１００は、図１に示されるように、指針４０及び発光部３１の発光を実施する。さらに、車速に応じた角度への指針４０の回転によって、車両の走行速度に応じた指針表示がスピードメータ２０に形成される。
【００４０】
（特徴部分）
以下、本発明の第一実施形態によるコンビネーションメータ１００の特徴部分について、詳細に説明する。
【００４１】
図４〜６に示されるように、固定部材７０の軸方向の両端部のうち、裏面方向に位置する端部の周壁部分７１は、すり鉢状を呈している。周壁部分７１の外周面７８及び当該外周面７８の内周側に位置する内周面７９は、指針光源部６０に近接するに従って、縮径している。加えて、固定部材７０の縦断面において、軸方向に対する外周面７８の傾斜角度θ１は、当該軸方向に対する内周面７９の傾斜角度θ２とは異なっている。具体的に第一実施形態では、外周面７８の傾斜角度θ１は、内周面７９の傾斜角度θ２よりも大きくされている。さらに、外周面７８及び内周面７９には、光の反射率を高める処理、具体的にはアルミ等の金属の蒸着処理又はメッキ処理等が施されている。
【００４２】
以上の周壁部分７１の外周面７８は、外周反射部７２を形成している。外周反射部７２は、図２，３に示されるように、軸部４５の軸方向において指針光源部６０と対向している。また、外周反射部７２は、筺体反射部５４の内周側に位置している。これらの配置によって、外周反射部７２は、指針光源部６０から放射された光を、外周側の筺体反射部５４に向けて反射させる。図２，６に示されるように、内周面７９とは異なる外周面７８の傾斜角度θ１によって、外周反射部７２は、筺体反射部５４への光の反射に好適となる向きに設定されている。
【００４３】
一方、図２，４〜６に示されるように、周壁部分７１の内周面７９は、内周反射部７３を形成している。内周反射部７３は、指針４０の入射部４２に向けて形成されており、指針光源部６０から放射された光を、入射部４２に向けて反射させる。また、外周面７８とは異なる内周面７９の傾斜角度θ２によって、内周反射部７３は、入射部４２への光の反射に好適にとなる向きに設定されている。
【００４４】
さらに、図２，３に示されるように、指針光源部６０の外周側には、表示光源部６３が配置されている。表示光源部６３は、少なくとも一つ以上の発光ダイオード６４等によって構成されている。表示光源部６３は、表示板３０の径方向において、当該表示板３０の外縁と表示板開口部３５との中間に位置している。表示光源部６３は、表示方向の発光部３１に向けて光を放射する。
【００４５】
筺体本体部材５７のリフレクタ５３には、入射口５５がさらに設けられている。入射口５５は、リフレクタ５３において発光ダイオード６４の表示方向に位置する部分に、形成されている。入射口５５は、表示光源部６３から放射される光を表示板３０及びリフレクタ５３の間に入射させる開口である。入射口５５は、発光ダイオード６４から離間するに従って拡径する円錐状に形成されている。
【００４６】
以上の構成によれば、指針光源部６０から放射される光の一部は、各開口部３５，５１に内嵌された固定部材７０の内周側を通過し、指針４０の入射部４２に入射する。加えて、指針光源部６０から放射されて内周反射部７３に到達した光が、当該内周反射部７３に反射されることにより、入射部４２に入射する。以上のようにして入射部４２から入射させる光により、指針４０は指針部材４１を発光させる。
【００４７】
また、指針光源部６０から照射される光の一部は、外周反射部７２により筺体反射部５４に向けて反射され、さらに筐体反射部５４によって発光部３１に向けて反射される。加えて、表示光源部６３から放射された光が、入射口５５を通じて発光部３１に到達する。以上により、各反射部７２，５４によって反射された光、及び表示光源部６３から放射された光を透過させることにより、表示板３０は発光部３１を発光させる。
【００４８】
ここまで説明した第一実施形態では、表示板３０を挟持して固定する機能を有する固定部材７０に、光を反射させる機能が統合されている。故に、表示板３０の挟持に適した形態に表示板支持部７５を形成したうえで、さらに筺体反射部５４への反射に適した位置に外周反射部７２が配置され得る。以上により、表示板３０の挟持と発光部３１の発光とが、両立可能となる。さらに、筺体反射部５４に光を反射させるための反射板等の個別の構成に加えて、表示光源部６３を構成する発光ダイオード６４の数が低減可能となる。したがって、表示板３０の挟持及び発光部３１の発光を確かなものとしつつ、部品点数を抑制できるコンビネーションメータ１００が実現される。
【００４９】
加えて第一実施形態によれば、内周反射部７３による入射部４２への光の反射によって、当該入射部４２に入射する光量は、増加し得る。加えて、内周反射部７３の向きが、外周反射部７２の向きに影響されることなく、入射部４２への反射に最適な傾斜角度θ２に設定されている。故に、指針４０の入射部４２に射する光量は、確実に増加し得る。したがって、指針光源部６０から放射される光が発光部３１の発光に用いられる形態であっても、指針４０の発光輝度は、高く維持可能となる。
【００５０】
また第一実施形態によれば、外周反射部７２の向きが、内周反射部７３の向きに影響されることなく、筺体反射部５４への反射に最適な傾斜角度θ１に設定されている。故に、発光部３１を透過する光量は、確実に増加し得る。加えて、指針光源部６０から放射される光と表示光源部６３から放射される光とが共に発光部３１を透過するので、発光部３１を透過する光量は、多く確保され得る。さらに、表示光源部６３は、指針光源部６０よりも発光部３１に近接しているので、少数の発光ダイオード６４からなる簡素な構成であっても、発光部３１を透過する光量の増加ひいては高輝度での発光部３１の発光に寄与することができる。
【００５１】
尚、第一実施形態において、表示板３０が特許請求の範囲に記載の「表示部材」に相当し、表示板開口部３５が特許請求の範囲に記載の「開口部」に相当し、固定部材７０が特許請求の範囲に記載の「筒体」に相当し、表示板支持部７５が特許請求の範囲に記載の「筒体支持部」に相当し、コンビネーションメータ１００が特許請求の範囲に記載の「指針表示装置」に相当する。
【００５２】
（第二実施形態）
図８〜１２に示されるように、本発明の第二実施形態は第一実施形態の変形例である。第二実施形態では、表示光源部６３及び入射口５５（図２参照）が省略されている。加えて、図８，１０〜１２に示されるように、第二実施形態の固定部材７０において、外周面７８の縮径している周壁部分７１には、指針光源部６０から放射された光を軸方向に通過させる複数の切欠部２７６が形成されている。切欠部２７６は、周壁部分７１の一部を矩形状に欠損させることにより、形成されている。第二実施形態では、三つの切欠部２７６が、周方向に等間隔で設けられている。
【００５３】
図８，９に示されるように、指針光源部６０は、外周反射部７２の裏面方向に位置する発光ダイオード６１と、切欠部２７６の裏面方向に位置する発光ダイオード２６１とを有している。各発光ダイオード６１，２６１は、回路基板８０の基板開口部８１を囲むようにして環状に、互い違いに等間隔で配置されている。
【００５４】
以上の構成では、指針光源部６０の発光ダイオード６１から放射された光が外周反射部７２及び筺体反射部５４によって反射されることにより、表示板３０の発光部３１は、発光することができる。加えて第二実施形態では、指針光源部６０のうち、発光ダイオード２６１から放射される光は、切欠部２７６を通過して、周壁部分７１に遮られることなく、指針４０の入射部４２に入射する。発光ダイオード６１から放射される光の一部も内周反射部７３によって反射されて入射部４２に入射するので、指針４０の入射部４２に入射する光量は、確実に確保され得る。以上により、指針光源部６０の発光ダイオード６１が指針４０及び発光部３１によって共有されていても、発光ダイオード２６１によって放射される光により、指針４０の発光輝度は、高く維持可能となる。
【００５５】
尚、第二実施形態において、切欠部２７６が特許請求の範囲に記載の「通過部」に相当する。
【００５６】
（第三実施形態）
図１３に示されるように、本発明の第三実施形態は第二実施形態の変形例である。第三実施形態の固定部材３７０は、反射率の高いアルミ等の金属を、例えばプレス成型することによって形成されている。固定部材３７０は、第一実施形態の固定部材７０（図２参照）の有する構成と実質的に同一の外周反射部７２、内周反射部７３、嵌合本体部分７７と、第一実施形態の表示板支持部７５に相当する表示板支持部３７５とを有している。
【００５７】
第三実施形態では、固定部材３７０にて反射された光がキャップ部材４８及び表示板３０の間から漏れ難くするために、当該固定部材３７０は、表示板３０よりも裏面方向に埋設されている。故に、表示板支持部３７５は、嵌合本体部分７７から軸部４５の軸方向に沿って、表示方向に延出する形状とされている。表示板支持部３７５は、固定部材３７０の周方向に等間隔で三つ設けられている。加えて、各表示板支持部３７５の延伸方向の各先端部分３７５ａは、外周側に折り曲げられている。以上の構成により、表示板支持部３７５は、折り曲げられた先端部分３７５ａと、筺体開口部５１の筺体支持部５２との間で表示板開口部３５の周囲を挟持することにより、筺体開口部５１に表示板３０を固定している。
【００５８】
以上の第三実施形態では、指針光源部６０から放射されて内周反射部７３に到達した光は、当該内周反射部７３にて反射されることにより、入射部４２に入射する。また、指針光源部６０から照射されて外周反射部７２及び筺体反射部５４によって順に反射された光は、発光部３１を透過する。これらにより、指針光源部６０からの光によって、指針４０及び発光部３１は、共に発光する。以上のように、簡素な構造の固定部材３７０によって表示板３０の挟持と発光部３１の発光とが、両立される。したがって、表示板３０の挟持及び発光部３１の発光を確かなものとしつつ、部品点数が抑制可能となる。
【００５９】
尚、固定部材３７０は、例えば表面にメッキを施された金属材料によって形成されてもよく、又はバフ仕上げされたステンレス材料によって形成されていてもよい。
【００６０】
（他の実施形態）
以上、本発明による複数の実施形態について説明したが、本発明は、上記実施形態に限定して解釈されるものではなく、本発明の要旨を逸脱しない範囲内において種々の実施形態及び組み合わせに適用することができる。
【００６１】
上記実施形態において、筺体反射部５４は、放物線状の湾曲を与えられていた。しかし、筺体反射部の形状は、上記実施形態の形状に限定されない。外周反射部によって反射された指針光源部の光を発光部に向けて効率的に反射可能であれば、筺体反射部の形状は、適宜変更されてよい。例えば、筺体反射部は、円錐面状に形成されていてもよい。
【００６２】
上記実施形態において、周壁部分７１の内周面７９には、内周反射部７３が形成されていた。しかし、内周反射部が省略された形態の固定部材が、表示板開口部及び筺体開口部に内嵌されていてもよい。また、内周面の軸方向に対する傾斜角度θ２は、外周面の軸方向に対する傾斜角度θ１と同じであってもよく、又はこの傾斜角度θ１よりも大きくてもよい。各傾斜角度θ１，θ２は、指針光源部、入射部、筺体反射部、及び発光部の配置に応じて、適宜変更されてよい。
【００６３】
上記実施形態の表示板３０において、目盛り３２、数字３３、及び単位３４が、発光部３１として設けられていた。しかし、これら要素３２〜３４のうちの少なくとも一つが、表示板３０にて光を透過することにより発光する発光部であればよい。また、表示板においては、遮光性の印刷が施された領域の裏面方向の表面には、光の反射率を高めるための例えば白色の印刷等が施されることが望ましい。
【００６４】
上記第一実施形態において、表示光源部６３は、少なくとも一つの発光ダイオード６４を有していた。しかし、表示光源部の有する発光ダイオード６４の数は、発光部に要求される発光の輝度に応じて適宜変更されてよい。同様に、発光ダイオード６１，２６１の数も、指針及び発光部に要求される発光の輝度に応じて、適宜変更されてよい。
【００６５】
以上、コンビネーションメータ１００を構成する計器のうち、車両の速度を表示するスピードメータ２０に本発明を適用した例を説明した。しかし、本発明は、スピードメータに限らず、発光する指針及び発光部を有する計器全般に適用可能である。
【符号の説明】
【００６６】
２０  スピードメータ、３０  表示板（表示部材）、３１  発光部、３２  目盛り、３３  数字、３４  単位、３５  表示板開口部（開口部）、３６  遮光部、４０  指針、４１  指針部材、４２  入射部、４３  嵌合部、４４  指針軸、４５  軸部、４６  ステッパーモータ、４８  キャップ部材、５０  筺体、５１  筺体開口部、５２  筺体支持部、５３  リフレクタ、５４  筺体反射部、５５  入射口、５６  見返し部、５７  筺体本体部材、５８  フロントパネル、５９  リヤカバー、６０  指針光源部、６３  表示光源部、６１，６４，２６１  発光ダイオード、７０，３７０  固定部材（筒体）、７１  周壁部分、７２  外周反射部、７３  内周反射部、７５，３７５  表示板支持部（筒体支持部）、３７５ａ  先端部分、２７６  切欠部（通過部）、７７  嵌合本体部分、７８  外周面、７９  内周面、８０  回路基板、８１  基板開口部、８５  メータ制御部、９１  車内ＬＡＮ、９４  イグニッション・リレー、９５  バッテリ、１００  コンビネーションメータ（指針表示増値）、θ１，θ２  傾斜角度
【図１】
0005387648.tif 000002
【図２】
0005387648.tif 000003
【図３】
0005387648.tif 000004
【図４】
0005387648.tif 000005
【図５】
0005387648.tif 000006
【図６】
0005387648.tif 000007
【図７】
0005387648.tif 000008
【図８】
0005387648.tif 000009
【図９】
0005387648.tif 000010
【図１０】
0005387648.tif 000011
【図１１】
0005387648.tif 000012
【図１２】
0005387648.tif 000013
【図１３】
0005387648.tif 000014